(57)【要約】      （修正有）【課題】慣性モーメントを可変とする。【解決手段】シンバルパッドＰＤは支持穴１７にてスタンドの上側支柱に揺動自在に支持される。シンバルパッドＰＤの裏面ＰＤａには、複数の錘取り付け部Ａ３１、Ａ２１、Ａ１１、Ａ１３、Ａ２３、Ａ３３、Ａ３２、Ａ２２、Ａ１２が設けられ、半径方向に３個配置されたものが、円周方向に等間隔に３組設けられる。複数の錘ｍからなる錘群、錘ｍより質量が大きい複数の錘Ｍからなる錘群が、製品としてのシンバルパッドＰＤに付属している。ユーザは、錘群から任意の錘を選択し、選択した錘を任意の錘取り付け部に取り付けることで、慣性モーメントを可変とすることができる。【選択図】図２
2015028518.tif 000002
【特許請求の範囲】
【請求項１】
支持部に支持穴にて支持されると前記支持部に対して揺動自在になる打撃用パッドであって、
錘を取り付けるための錘取り付け部を有し、
前記錘取り付け部に前記錘を取り付けることで、慣性モーメントを可変としたことを特徴とする打撃用パッド。
【請求項２】
前記錘取り付け部は複数設けられ、複数の前記錘のうち選択した少なくとも１つの錘を任意の前記錘取り付け部に取り付けることを特徴とする請求項１記載の打撃用パッド。
【請求項３】
前記複数の錘には、前記支持穴を囲む形状となり且つ、当該錘の取り付け時と非取り付け時とで前記打撃用パッド全体の重心位置が変わらないように前記錘取り付け部に取り付けできるものが存在することを特徴とする請求項２記載の打撃用パッド。
【請求項４】
前記支持穴の軸心に対して互いに直交する２つの軸を第１の軸及び第２の軸としたとき、前記複数の錘には、前記錘取り付け部に取り付けられた場合に、当該錘自体の前記第１の軸周りの慣性モーメントと前記第２の軸周りの慣性モーメントとが異なるものが存在することを特徴とする請求項２記載の打撃用パッド。
【請求項５】
支持部に支持穴にて支持されると前記支持部に対して揺動自在になる打撃用パッドであって、
配設位置を移動可能に設けられた錘を有し、
前記錘の配設位置を移動させることで、慣性モーメントを可変としたことを特徴とする打撃用パッド。
【請求項６】
前記錘は複数設けられ、各々の錘が独立して移動できるように構成されたことを特徴とする請求項５記載の打撃用パッド。
【請求項７】
前記錘は複数設けられ、複数の前記錘を一括して移動させるための操作部が設けられたことを特徴とする請求項５記載の打撃用パッド。
【請求項８】
前記操作部により移動する複数の前記錘の全体の重心位置は、移動前と移動後とで変わらないことを特徴とする請求項７記載の打撃用パッド。
【発明の詳細な説明】
【技術分野】
【０００１】
本発明は、電子打楽器や打撃練習用に利用される打撃用パッドに関する。
【背景技術】
【０００２】
従来、アコースティックのドラムセットにおいては一般に、例えばシンバルに関しては、演奏の幅を広げるために、ハイハット、ライド、クラッシュ等のように、用途の異なる複数種類のシンバルが設置される。
【０００３】
一方、下記特許文献１に示されるような電子ドラムにおいては、発音する音をパッド毎に個別に設定できるため、複数種類のシンバル用に同じタイプのパッド自体を共用することができる。そうすることで製品数の削減ひいてはコスト削減が可能である。
【先行技術文献】
【特許文献】
【０００４】
【特許文献１】特開２００９−１２８８０２号公報
【発明の概要】
【発明が解決しようとする課題】
【０００５】
しかしながら、発音する音色をパッド毎に異ならせることはできても、演奏時の打撃による打感を異ならせることができないため、演奏者にとっては違和感がある。すなわち、サイズや厚みが同一のパッドを、軽い打感が求められるクラッシュシンバルに使用しても、重厚な打感が求められるライドシンバルに使用しても、得られる打撃の感触は全く同じとなる。直径の小さいパッドをライドシンバル用に用いると打撃時の手応えがなく、アコースティックのライドシンバルのような打感を実現できない。
【０００６】
また、アコースティックドラムの場合は、演奏者の打感に対する好みが多岐にわたるため、用途が同じシンバルでもその種類は数多く存在する。例えば、クラッシュシンバルであっても、直径や厚みが様々に異なる製品が存在し、演奏者は自分の好みの打感が得られるものを選ぶことができる。
【０００７】
しかし、電子ドラムにおいては、揺れ方や打感を所望のものにするために、多数の種類の打撃用パッド（シンバルパッド）を用意することは通常行われていない。さらに、シンバルパッドにおいては、発音をさせないで主に打撃の練習用として用いられる用途もあるが、打撃練習に用いる場合は打感が一層重要となる。
【０００８】
本発明は上記従来技術の問題を解決するためになされたものであり、その目的は、慣性モーメントを可変とすることができる打撃用パッドを提供することにある。
【課題を解決するための手段】
【０００９】
上記目的を達成するために本発明の請求項１の打撃用パッドは、支持部（１０ａ）に支持穴（１７）にて支持されると前記支持部に対して少なくとも一方向に揺動自在になる打撃用パッド（ＰＤ）であって、錘（ｍ、Ｍ）を取り付けるための錘取り付け部（Ａ）を有し、記錘取り付け部に前記錘を取り付けることで、慣性モーメントを可変としたことを特徴とする。
【００１０】
好ましくは、前記錘取り付け部は複数設けられ、複数の前記錘のうち選択した少なくとも１つの錘を任意の前記錘取り付け部に取り付ける。好ましくは、前記複数の錘には、前記支持穴を囲む形状となり且つ、当該錘の取り付け時と非取り付け時とで前記打撃用パッド全体の重心位置が変わらないように前記錘取り付け部に取り付けできるものが存在する。好ましくは、前記支持穴の軸心に対して互いに直交する２つの軸を第１の軸及び第２の軸としたとき、前記複数の錘には、前記錘取り付け部に取り付けられた場合に、当該錘自体の前記第１の軸周りの慣性モーメントと前記第２の軸周りの慣性モーメントとが異なるものが存在する。
【００１１】
上記目的を達成するために本発明の請求項５の打撃用パッドは、支持部に支持穴にて支持されると前記支持部に対して少なくとも一方向に揺動自在になる打撃用パッドであって、配設位置を移動可能に設けられた錘を有し、前記錘の配設位置を移動させることで、慣性モーメントを可変としたことを特徴とする。
【００１２】
好ましくは、前記錘は複数設けられ、各々の錘が独立して移動できるように構成される。好ましくは、前記錘は複数設けられ、複数の前記錘を一括して移動させるための操作部が設けられる。好ましくは、前記操作部により移動する複数の前記錘の全体の重心位置は、移動前と移動後とで変わらない。
【００１３】
なお、上記括弧内の符号は例示である。
【発明の効果】
【００１４】
本発明の請求項１によれば、慣性モーメントを可変とすることができる。
【００１５】
請求項２によれば、慣性モーメント及び重心位置の可変の自由度を高めることができる。
【００１６】
請求項３によれば、重心位置を変えないで慣性モーメントを可変とすることができる。
【００１７】
請求項４によれば、前記支持穴の軸心に対して直交する２軸に関する慣性モーメントを互いに異ならせることができる。
【００１８】
本発明の請求項５によれば、慣性モーメントを可変とすることができる。
【００１９】
請求項６によれば、慣性モーメント及び重心位置の可変の自由度を高めることができる。
【００２０】
請求項７によれば、慣性モーメントの可変操作が簡単である。
【００２１】
請求項８によれば、簡単な操作で、重心位置を変えないで慣性モーメントを可変とすることができる。
【図面の簡単な説明】
【００２２】
【図１】本発明の第１の実施の形態に係る打撃用パッドとしてのシンバルパッドが適用される電子ドラムセットの外観図（図（ａ））、シンバルパッドの裏面図（図（ｂ））、複数の錘を示す図（図（ｃ））である。
【図２】錘の装着例を示すシンバルパッドの裏面図である。
【図３】第２の実施の形態に係るシンバルパッドの錘の装着例を示す裏面図である。
【図４】環状錘の装着例を示すシンバルパッドの裏面図である。
【図５】第３の実施の形態に係るシンバルパッドの裏面図（図（ａ）、（ｂ））、及び変形例のシンバルパッドの裏面図（図（ｃ）、（ｄ））である。
【発明を実施するための形態】
【００２３】
以下、本発明の実施の形態を図面を参照して説明する。
【００２４】
（第１の実施の形態）
図１（ａ）は、本発明の第１の実施の形態に係る打撃用パッドとしてのシンバルパッドが適用される電子ドラムセットの外観図である。この電子ドラムセットは、スタンド１０と、スタンド１０に支持されるシンバルパッドＰＤと、シンバルパッドＰＤに電気的に接続される楽音発生装置１２とから構成される。
【００２５】
このシンバルパッドＰＤは、一例としてライドシンバルとして利用されるが、これに限られず、ハイハット、クラッシュ等のシンバルに適用してもよい。あるいは、シンバルパッドＰＤは練習用として用いることもでき、その場合は、スタンド１０を用いずにシンバルパッドＰＤを机等に載置して打撃することもでき、電子的に発音させるための機構も必要とされない。
【００２６】
図１（ｂ）は、シンバルパッドＰＤの裏面図である。シンバルパッドＰＤは、平面視で円盤状に形成され、半径方向における中心に支持穴１７が形成される。支持穴１７をスタンド１０の上側支柱１０ａが貫通した状態で、不図示の弾性材が上下からシンバルパッドＰＤを挟むように配設されることで、シンバルパッドＰＤが上側支柱１０ａに対して前後左右に揺動自在に支持される。
【００２７】
なお、シンバルパッドＰＤから見て奏者１３がいる側を前側とし、左右方向をＸ軸（第１の軸）、前後方向をＹ軸（第２の軸）とする。Ｘ軸、Ｙ軸は、支持穴１７の軸線に対していずれも直交する２軸であり、互いに直交している。図１（ａ）の例では、上側支柱１０ａが斜めとなっていて、それに応じてシンバルパッドＰＤも斜めの姿勢で安定しているが、このような支持態様に限定されず、水平状態で支持されてもよい。
【００２８】
図１（ｂ）に示すように、シンバルパッドＰＤにはピエゾ素子等の打撃センサ１８が設けられている。奏者１３がスティック１４でシンバルパッドＰＤを打撃すると、その打撃を打撃センサ１８が検出し、その検出信号に応じた楽音が楽音発生装置１２から発生する。
【００２９】
図１（ｃ）は、複数の錘を示す図である。錘群１５は複数の錘ｍからなり、錘群１６は錘ｍより質量が大きい複数の錘Ｍからなる。これらの錘群１５、１６は、製品としてのシンバルパッドＰＤに付属している。錘ｍ、錘Ｍの２種類を例示するが、３種類以上付属させてもよい。
【００３０】
図１（ｂ）に示すように、シンバルパッドＰＤの裏面ＰＤａには、錘ｍまたは錘Ｍを取り付けるための複数の錘取り付け部Ａが設けられている。錘取り付け部Ａの構成は問わないが、錘ｍ、Ｍは嵌め込みや螺合等によって錘取り付け部Ａに対して取り付けられる。錘ｍと錘Ｍとは、取り付けに関して同じ構成を有しており、いずれの錘取り付け部Ａに対しても、錘ｍまたは錘Ｍを固定することができる。なお、錘ｍ、Ｍは錘取り付け部Ａに対して着脱自在であることが好ましいが、ユーザが製品購入後に装着できればよく、取り外しの可否は問わない。
【００３１】
裏面ＰＤａには、支持穴１７の軸線を中心とする半径の異なる複数の同心円の各々に、複数の錘取り付け部Ａが配置されている。すなわち、錘取り付け部Ａは、支持穴１７を中心として半径方向外側に複数（３個）が一列に配置され、図１（ｂ）の例では、半径方向に３個配置されたものが、円周方向に等間隔に３組設けられる。内周側の３つが錘取り付け部Ａ１１〜Ａ１３、半径方向の真ん中の３つが錘取り付け部Ａ２１〜Ａ２３、外周側の３つが錘取り付け部Ａ３１〜Ａ３３である。錘取り付け部Ａ１１、Ａ２１、Ａ３１の組はＹ軸上に並んでいる。錘ｍ、Ｍは、少なくとも、それぞれ錘取り付け部Ａの数以上用意されている。
【００３２】
ところで、錘取り付け部Ａに錘ｍ、Ｍを全く装着していない状態におけるシンバルパッドＰＤ自体の重心位置（以下、パッド単体重心位置Ｇ０）は、支持穴１７の中心であり、支持穴１７の軸線がパッド単体重心位置Ｇ０を通る。ただし、パッド単体重心位置Ｇ０が支持穴１７の中心からずれている構成も除外されるものではない。
【００３３】
次に、錘ｍ、Ｍの装着例を図２で説明する。ユーザは、錘群１５、１６から任意の錘を少なくとも１つ選択し、選択した錘を任意の錘取り付け部Ａに取り付ける。
【００３４】
図２（ａ）〜（ｄ）は、錘ｍ、Ｍの装着例を示すシンバルパッドＰＤの裏面図である。例えば、図２（ａ）に示すように、同心円上に並ぶ錘取り付け部Ａ２１、Ａ２２、Ａ２３だけに錘ｍを取り付ける。この場合、錘ｍの配置位置が半径方向に同じで円周方向に等間隔である。従って、錘ｍの取り付け後のシンバルパッドＰＤ全体の重心位置Ｇ１は、パッド単体重心位置Ｇ０から変化することがない。
【００３５】
一方、シンバルパッドＰＤ全体の質量は錘ｍ３個分だけ増加しており、重心位置Ｇ１から半径方向に離れた位置に錘ｍが位置していることから、シンバルパッドＰＤ全体の慣性モーメントはシンバルパッドＰＤ単体のものから変化している。すなわち、支持穴１７の軸線に直交する軸（Ｘ軸やＹ軸も含まれる）の周りに関し、シンバルパッドＰＤ全体の慣性モーメントは、シンバルパッドＰＤ単体の慣性モーメントよりも大きくなる。
【００３６】
慣性モーメントが大きくなると、まず、同じ位置を打撃したときの感触が重く感じられるようになる。また、シンバルパッドＰＤは揺動しにくくなり、揺れの周期も少し長くなる。
【００３７】
図２（ｂ）に示すように、図２（ａ）の例と同じ位置に、錘ｍに代えて錘Ｍを取り付けると、重心位置Ｇ１は同じでありながら慣性モーメントの変化は一層大きくなる。このように、図２（ａ）（ｂ）の例では、パッド単体重心位置Ｇ０からの重心位置の変化を生じさせることなく、シンバルパッドＰＤ全体の重量及び慣性モーメントを変化させ、それにより打感を変化させることができる。
【００３８】
実験した具体例として、５００ｇの錘の配設位置を、支持穴１７の軸線から半径１００ｍｍの位置から半径方向に±５０ｍｍ変化させると、シンバルパッドＰＤ全体の慣性モーメントが１．０５〜１．５倍程度変化する。これらの変化は、シンバルパッドＰＤ単体の質量が小さいほど大きなものとなる。
【００３９】
図２（ｃ）に示すように、あえて半径方向における異なる位置に錘ｍを配置することで、重心位置Ｇ１をパッド単体重心位置Ｇ０から変化させることも可能である。また、図２（ｄ）に示すように、錘ｍと錘Ｍとを混合させて取り付けることで、重心位置Ｇ１をパッド単体重心位置Ｇ０から変化させることも可能である。例えば、重心位置Ｇ１を奏者側にずらすという態様が考えられる。重心位置Ｇ１を奏者側に偏倚させれば、例えば、上側支柱１０ａを斜めにしてシンバルパッドＰＤを斜めに保持させたとき、シンバルパッドＰＤに回転抑制の作用が働くので、回転止めの機構を簡素化または不要にすることができる。
【００４０】
本実施の形態によれば、錘取り付け部Ａに錘ｍ、Ｍを取り付けることで、シンバルパッドＰＤの慣性モーメントを可変とすることができる。それにより、打撃時に感じる重さや揺れ特性が変わり、打感を変化させることができる。しかも、複数の錘取り付け部Ａに、ユーザが、選択した錘を任意の錘取り付け部Ａに取り付けるので、慣性モーメント及び重心位置の可変の自由度を高めることができる。また、錘ｍ、Ｍを取り付ける位置の選択によって、重心位置Ｇ１をパッド単体重心位置Ｇ０から変化させることも変化させないこともでき、打感を所望に調節することが容易である。
【００４１】
（第２の実施の形態）
図３（ａ）〜（ｃ）は、本発明の第２の実施の形態に係るシンバルパッドの、錘の装着例を示す裏面図である。
【００４２】
第１の実施の形態では、錘取り付け部Ａが半径方向に３個配置されたものが、円周方向に等間隔に３組設けられた。これに対し、第２の実施の形態では、錘取り付け部Ａが半径方向に３個配置されたものが、円周方向に等間隔に４組設けられる。特に、錘取り付け部Ａ３１、Ａ２１、Ａ１１、Ａ１３、Ａ２３、Ａ３３がＹ軸に沿って一列に並び、錘取り付け部Ａ３２、Ａ２２、Ａ１２、Ａ１４、Ａ２４、Ａ３４がＸ軸に沿って一列に並んでいる。その他の構成は、第１の実施の形態のものと同様である。
【００４３】
図３（ａ）に示す例では、錘ｍが、錘取り付け部Ａ２１、Ａ２２、Ａ２３、Ａ２４だけに取り付けられている。この場合、錘ｍの配置位置が半径方向に同じで円周方向に等間隔である。従って、錘ｍの取り付け後のシンバルパッドＰＤ全体の重心位置Ｇ１は、パッド単体重心位置Ｇ０から変化することがない。一方、支持穴１７の軸線に直交する軸（Ｘ軸やＹ軸も含まれる）の周りに関し、シンバルパッドＰＤ全体の慣性モーメントは、シンバルパッドＰＤ単体の慣性モーメントよりも大きくなる。
【００４４】
図３（ｂ）に示す例では、錘Ｍが、錘取り付け部Ａ２１、Ａ２３だけに取り付けられている。錘Ｍの取り付け後のシンバルパッドＰＤ全体の重心位置Ｇ１は、パッド単体重心位置Ｇ０から変化することがない。一方、Ｘ軸の周りに関し、シンバルパッドＰＤ全体の慣性モーメントは、シンバルパッドＰＤ単体の慣性モーメントよりも大きくなる。Ｙ軸周りの慣性モーメントはあまり変化しない。
【００４５】
図３（ｃ）に示す例では、錘ｍが、錘取り付け部Ａ１２、Ａ１４に取り付けられると共に、錘Ｍが、錘取り付け部Ａ３１、Ａ３３に取り付けられている。錘ｍ、Ｍの取り付け後のシンバルパッドＰＤ全体の重心位置Ｇ１は、パッド単体重心位置Ｇ０から変化することがない。一方、Ｘ軸の周りに関し、シンバルパッドＰＤ全体の慣性モーメントは、シンバルパッドＰＤ単体の慣性モーメントよりも大きくなる。Ｘ軸周りほどではないが、Ｙ軸周りの慣性モーメントについても、シンバルパッドＰＤ単体の慣性モーメントよりも大きくなる。
【００４６】
本実施の形態では、錘として、錘ｍ、Ｍ以外に、環状の錘も予め用意されている。これを図４で説明する。
【００４７】
図４（ａ）〜（ｄ）は、環状錘の装着例を示すシンバルパッドＰＤの裏面図である。錘ｍ、Ｍに加えて、環状錘Ｒ（Ｒ１〜Ｒ４）が、製品としてのシンバルパッドＰＤに付属している。いずれの環状錘Ｒも、錘取り付け部Ａに対して取り付けることができるようになっている。環状錘Ｒは、複数箇所の錘取り付け部Ａに取り付けられ、取り付け状態ではちょうど支持穴１７を囲む形状となる。
【００４８】
図４（ａ）に示すように、同心円上に並ぶ錘取り付け部Ａ１１、Ａ１２、Ａ１３、Ａ１４に、円形ドーナツ状の環状錘Ｒ１を取り付ける。環状錘Ｒ１には、Ａ１１、Ａ１２、Ａ１３、Ａ１４に対応する被取り付け部が設けられており、環状錘Ｒ１の回転方向における４つの位置のいずれかで、錘取り付け部Ａ１１、Ａ１２、Ａ１３、Ａ１４に対して取り付けが可能である。ただし、この例では、環状錘Ｒ１は円形ドーナツ状であるので、回転位置のいずれを採択しても作用に違いはない。
【００４９】
取り付け状態の環状錘Ｒ１の単体の重心位置は、パッド単体重心位置Ｇ０と一致する。従って、環状錘Ｒ１の取り付け後のシンバルパッドＰＤ全体の重心位置Ｇ１は、パッド単体重心位置Ｇ０から変化することがない。
【００５０】
一方、支持穴１７の軸線に直交する軸（Ｘ軸やＹ軸も含まれる）の周りに関し、シンバルパッドＰＤ全体の慣性モーメントは、シンバルパッドＰＤ単体の慣性モーメントよりも大きくなる。
【００５１】
図４（ｂ）に示す例では、環状錘Ｒ１よりも外形が大きく環状錘Ｒ１と相似形状の環状錘Ｒ２が、同心円上に並ぶ錘取り付け部Ａ２１、Ａ２２、Ａ２３、Ａ２４に取り付けられている。図４（ａ）の例と同様に、環状錘Ｒ２の取り付け後のシンバルパッドＰＤ全体の重心位置Ｇ１は、パッド単体重心位置Ｇ０から変化することがない。一方、支持穴１７の軸線に直交する軸（Ｘ軸やＹ軸も含まれる）の周りに関し、シンバルパッドＰＤ全体の慣性モーメントは、シンバルパッドＰＤ単体の慣性モーメントよりも大きくなり、図４（ａ）の例に比べてもさらに大きくなる。
【００５２】
図４（ｃ）に示す例では、環状錘Ｒ３が、錘取り付け部Ａ１１、Ａ１２、Ａ１３、Ａ１４に取り付けられている。取り付け状態の環状錘Ｒ３の単体としての重心位置はパッド単体重心位置Ｇ０に一致している。従って、環状錘Ｒ２の取り付け後のシンバルパッドＰＤ全体の重心位置Ｇ１は、パッド単体重心位置Ｇ０から変化することがない。
【００５３】
一方、Ｘ軸の周り、Ｙ軸の周りに関し、シンバルパッドＰＤ全体の慣性モーメントは、シンバルパッドＰＤ単体の慣性モーメントよりも大きくなる。ここで、環状錘Ｒ３は、取り付け状態において外形がＹ軸方向に長い楕円であり、Ｙ軸方向に肉部領域が多い。そのため、環状錘Ｒ３の単体としての慣性モーメントが、Ｙ軸周りよりもＸ軸周りの方が大きくなっている。従って、シンバルパッドＰＤ全体の慣性モーメントは、Ｙ軸周りよりもＸ軸周りの方が大きくなる。
【００５４】
図４（ｄ）に示す例では、環状錘Ｒ４が、錘取り付け部Ａ１１、Ａ１２、Ａ１３、Ａ１４に取り付けられている。環状錘Ｒ４は、取り付け状態において外形が一方向にだけ長い楕円であり、一方向において肉部領域が多い。そのため、取り付け状態の環状錘Ｒ４の単体としての重心位置はパッド単体重心位置Ｇ０よりも一方向にずれる。図４（ｄ）に示した具体例のように、肉部領域が多い部分を奏者側に配置するよう環状錘Ｒ４を取り付けたとすると、環状錘Ｒ４の取り付け後のシンバルパッドＰＤ全体の重心位置Ｇ１は、パッド単体重心位置Ｇ０から奏者側へずれることになる。
【００５５】
一方、Ｘ軸の周り、Ｙ軸の周りに関し、シンバルパッドＰＤ全体の慣性モーメントは、シンバルパッドＰＤ単体の慣性モーメントよりも大きくなる。ここで、取り付け状態の環状錘Ｒ４の単体としての慣性モーメントは、Ｙ軸周りよりもＸ軸周りの方が大きくなっている。従って、シンバルパッドＰＤ全体の慣性モーメントは、Ｙ軸周りよりもＸ軸周りの方が大きくなる。
【００５６】
なお、図４（ｃ）、（ｄ）に示した例では、環状錘Ｒ３、Ｒ４の肉部領域が多い部分をＹ軸方向、例えば奏者側に配置したが、Ｘ軸方向に配置する取り付け態様も可能である。図４（ｄ）の例にあっては、肉部領域が多い部分を奏者側とは反対側に配置する取り付け態様も可能である。従って、環状錘Ｒ３、Ｒ４の向きによっても、重心位置や慣性モーメントを異ならせることができる。
【００５７】
本実施の形態によれば、シンバルパッドＰＤの慣性モーメントを可変とし、打感を変化させることに関し、第１の実施の形態と同様の効果を奏することができる。
【００５８】
特に、環状錘Ｒ１、Ｒ２、Ｒ３は、支持穴１７を囲む形状となり且つ、当該環状錘Ｒの取り付け時と非取り付け時とでシンバルパッドＰＤ全体の重心位置が変わらないように取り付けできる。よって、重心位置を変えないで慣性モーメントを可変とすることができる。
【００５９】
また、環状錘Ｒ３、Ｒ４は、取り付け状態における当該環状錘Ｒ３、Ｒ４自体のＸ軸周りの慣性モーメントとＹ軸周りの慣性モーメントとが異なるので、支持穴１７の軸心に対して直交する２軸に関する慣性モーメントを互いに異ならせることができる。
【００６０】
なお、本実施の形態では、環状錘Ｒは完全な環状としたが、取り付け時に支持穴１７を囲む形状であればよく、一部が欠損した欠円形状であってもよい。
【００６１】
なお、本実施の形態においても、２つ以上の環状錘Ｒ（例えば、環状錘Ｒ１と環状錘Ｒ２）を共にシンバルパッドＰＤに取り付けてもよい。さらには、環状錘Ｒに錘ｍ、Ｍも併せて取り付けてもよい。
【００６２】
なお、環状錘Ｒについては、形状や重心の偏心度合いを異ならせたさらに他種類の環状錘Ｒを設けてもよい。重心の偏心は、肉部の厚みを異ならせることで実現してもよい。
【００６３】
（第３の実施の形態）
第１、第２の実施の形態では、固定的な錘取り付け部Ａに錘を選択的に取り付ける構成であったが、本発明の第３の実施の形態では、シンバルパッドＰＤに錘を可動式に設ける。
【００６４】
図５（ａ）、（ｂ）は、第３の実施の形態に係るシンバルパッドの裏面図である。まず、図５（ａ）に示すように、シンバルパッドＰＤの裏面ＰＤａには、半径方向に延設された溝部２１、２２、２３が設けられる。溝部２１、２２、２３は、シンバルパッドＰＤの円周方向に等間隔に形成される。各溝部２１、２２、２３に沿って錘ｍ２が移動可能に取り付けられている。
【００６５】
支持穴１７の周りには、回転式の操作部３０が設けられ、ユーザによって回転操作される。操作部３０には、各錘ｍ２に対応する連結部３７が設けられている。各錘ｍ２は、リンク部３１によって操作部３０に連結されている。すなわち、各錘ｍ２と対応するアーム３４の一端とが連結部２７で回動自在に連結されると共に、アーム３４の他端が操作部３０の対応する連結部３７と回動自在に連結されている。
【００６６】
操作部３０を図５（ａ）の時計方向に回転させると、リンク部３１によって各錘ｍ２が対応する溝部２１、２２、２３に沿ってシンバルパッドＰＤの半径方向外側に連続的にスライド移動する（図５（ｂ））。なお、操作部３０の任意の回転位置において、操作部３０の回転変位を固定的に規制する摩擦発生部材等の安定保持機構が設けられており、従って、各錘ｍ２は溝部２１、２２、２３における任意の位置で固定状態になることができる。
【００６７】
ユーザは、３つの錘ｍ２の移動操作を一括して行える。操作部３０の回転位置と各錘ｍ２の位置とは対応しており、操作部３０の回転位置にかかわらず、支持穴１７からの各錘ｍ２の距離は共通である。
【００６８】
従って、各錘ｍ２の位置を変えても、シンバルパッドＰＤ全体の重心位置Ｇ１は変化することがない。一方、各錘ｍ２の位置がシンバルパッドＰＤの半径方向外側となるほど、支持穴１７の軸線に直交する軸（Ｘ軸やＹ軸も含まれる）の周りに関し、シンバルパッドＰＤ全体の慣性モーメントは大きくなる。ユーザは、重心位置Ｇ１を変化させることなく、操作部３０の回転位置の調節によって、所望の慣性モーメントを得ることができる。
【００６９】
本実施の形態によれば、シンバルパッドＰＤの慣性モーメントを可変とし、打感を変化させることに関し、第１の実施の形態と同様の効果を奏することができる。
【００７０】
特に、操作部３０の回転操作という簡単な操作によって、複数の錘ｍ２の位置を一括して変化させることができ、シンバルパッドＰＤの慣性モーメントの可変操作が簡単である。しかも、移動する錘ｍ２の全体の重心位置は、移動前と移動後とで変わらないため、重心位置Ｇ１を変えないでシンバルパッドＰＤの慣性モーメントを可変とすることができる。
【００７１】
なお、図５（ｃ）に変形例を示すように、溝部の数を４つとし、円周方向に等間隔に溝部２１、２２、２３、２４を設け、それぞれに錘ｍ２を移動自在に設けてもよい。リンク部３１に関しては図示しないが、図５（ａ）の例と同様に構成できる。
【００７２】
なお、図５（ｃ）の例において、溝２１、２３に取り付けられた錘ｍ２が第１の操作部の操作で一括して移動するようにし、且つ、溝２２、２４に取り付けられた錘ｍ２が第２の操作部の操作で一括して移動するように構成してもよい。それにより、Ｘ軸周り、Ｙ軸周りで別々に慣性モーメントを簡単な操作で変化させることが可能となる。その際、支持穴１７からの距離については、溝２１、２３に取り付けられた錘ｍ２同士が共通、溝２２、２４に取り付けられた錘ｍ２同士が共通とすれば、重心位置Ｇ１を変化させずに慣性モーメントを変化させることが可能となる。
【００７３】
なお、図５（ａ）、図５（ｃ）の例において、リンク部３１を廃止して、各錘ｍ２の各々が独立して移動できるように構成してもよい。そうすれば、シンバルパッドＰＤの慣性モーメント及び重心位置Ｇ１の可変の自由度を高めることができる。
【００７４】
なお、図５（ｄ）に変形例を示すように、錘ｍ２の可動方式は溝部のスライドに限定されない。例えば、回動軸４１に回動自在に連結した連結棒４２の先端に錘ｍ２を固定してもよい。回動軸４１を中心に錘ｍ２が回動変位し、支持穴１７からの距離を可変にすることができる。なお、この構成においても、リンク部等を用いて、移動操作を一括して行えるようにしてもよいし、その際、各錘ｍ２の支持穴１７からの距離が共通となるようにしてもよい。
【００７５】
なお、第３の実施の形態では、錘ｍ２が予め取り付けられた構成を例示したが、第１、第２の実施の形態と組み合わせ、取り付け部Ａを可動式に構成し、取り付け部Ａに錘ｍ、Ｍを取り付け、取り付け部Ａを移動させることで、慣性モーメントや重心位置Ｇ１を可変にしてもよい。
【００７６】
なお、錘取り付け部Ａないし錘ｍ、ｍ２、Ｍの配設位置は、シンバルパッドＰＤの裏面ＰＤａに限定されるものではない。
【００７７】
なお、上記各実施の形態では、シンバルパッドＰＤが上側支柱１０ａに対して前後左右に揺動自在に支持されるとしたが、シンバルパッドＰＤの揺動可能な主方向は一方向に限られる構成であってもよい。例えば、シンバルパッドＰＤが前後方向にのみ揺動自在な構成でもよいし、あるいは、支持構造によってシンバルパッドＰＤが左右方向には揺動しにくいが前後方向には揺れやすくなる構成であってもよい。シンバルパッドＰＤの揺動可能な方向に応じて、錘取り付け部Ａないし錘ｍ、ｍ２、Ｍの配設位置を検討すればよい。
【００７８】
なお、シンバルパッドＰＤは、いわゆる「シンバルパッド」と呼ばれるものに適用が限定されるものではなく、打楽器用ないし打撃用のパッドとして用いられるものであればよく、名称としての範疇は限定されない。
【００７９】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００８０】
１０  スタンド、  １０ａ  上側支柱（支持部）、  １７  支持穴、  ＰＤ  シンバルパッド、  ＰＤａ  裏面、  Ａ  錘取り付け部、  ｍ、ｍ２、Ｍ  錘、  Ｇ１  重心位置、  Ｇ０  パッド単体重心位置
【図１】
2015028518.tif 000003
【図２】
2015028518.tif 000004
【図３】
2015028518.tif 000005
【図４】
2015028518.tif 000006
【図５】
2015028518.tif 000007